(57)【要約】【課題】  遊技者の都合に応じた遊技を提供可能な遊技機を提供する。【解決手段】  貸出機６１に紙幣が投入され、セット遊技が設定されると、主制御基板３１は、セット遊技の回数分だけ予め特別図柄抽選を実行し、その一連の抽選結果の中に１乃至複数の大当たりがあれば、大当たりをパチンコ遊技の序盤に提示するように、抽選結果の提示順序を決定する（Ｓ１０〜Ｓ４０、Ｓ６０、Ｓ７０）。そして、遊技者に所望する遊技時間を設定させ、この遊技時間に伴った特別図柄の変動時間やリーチの出現頻度、賞球の払出量を設定したのち、一連の抽選結果を提示順序に従いながら、パチンコ遊技に連動して遊技者に提示する（Ｓ８０〜Ｓ１２０）。【選択図】  図１
2005052357.tif 000002
【特許請求の範囲】
【請求項１】
遊技媒体を用いて遊技者に遊技を提供する遊技機であって、
遊技者に付与すべき特典を抽選する抽選手段と、
遊技者が所望する抽選回数を設定する抽選回数設定手段と、
該抽選回数設定手段に設定された抽選回数分だけ前記抽選手段を作動させる作動手段と、
前記抽選手段の抽選結果を格納する格納手段と、
予め設定された提示規則に従って、前記格納手段に格納された各抽選結果を遊技者へ提示する提示順序を決定する提示順序決定手段と、
該提示順序決定手段により決定された提示順序に従って、各抽選結果を前記格納手段から取得し、遊技に連動して遊技者に提示する提示手段と、
を備えることを特徴とする遊技機。
【請求項２】
前記提示順序決定手段には、遊技者にとって有利な特典を示す抽選結果のうちの少なくとも１つを遊技の序盤に提示するように前記提示規則が設定されていることを特徴とする請求項１記載の遊技機。
【請求項３】
前記提示順序決定手段には、遊技者にとって有利な特典を示す抽選結果を連続して提示するように前記提示規則が設定されていることを特徴とする請求項１又は請求項２記載の遊技機。
【請求項４】
前記格納手段は、遊技者にとって有利な特典を示す抽選結果のみを格納することを特徴とする請求項１記載の遊技機。
【請求項５】
遊技者が当該遊技機に投入した金額の範囲内にて、前記抽選回数設定手段に設定する抽選回数を遊技者に指定させる抽選回数指定手段を備えることを特徴とする請求項１乃至請求項４いずれか記載の遊技機。
【請求項６】
前記抽選回数設定手段に設定された抽選回数に応じた数の遊技媒体を当該遊技機に用意する遊技媒体用意手段を備え、該遊技媒体用意手段により用意された遊技媒体を用いて遊技を行うことを特徴とする請求項１乃至請求項５いずれか記載の遊技機。
【請求項７】
前記遊技媒体用意手段により用意された遊技媒体のうち、遊技に使用しなかった分の遊技媒体を遊技者に返却する返却手段を備え、
該返却手段は、遊技媒体を返却する際に予め指定された数の遊技媒体を差し引く差引手段を備えることを特徴とする請求項６記載の遊技機。
【請求項８】
前記提示手段が遊技者にとって有利な特典を示す抽選結果を遊技者に提示すると、遊技者に遊技媒体を払い出す払出手段と、
遊技者が遊技に臨む所望時間を設定する第１の時間設定手段と、
該第１の時間設定手段に設定された前記所望時間の長さに応じて前記払出手段に払い出させる遊技媒体の数を変化させる払出変化手段と、
を備えることを特徴とする請求項１乃至請求項７いずれか記載の遊技機。
【請求項９】
遊技者が遊技に臨む所望時間を設定する第２の時間設定手段と、
該第２の時間設定手段に設定された前記所望時間の長さに応じて、前記抽選結果の提示時間を変化させる提示時間変化手段と、
を備えることを特徴とする請求項１乃至請求項８いずれか記載の遊技機。
【請求項１０】
パチンコ遊技機からなることを特徴とする請求項１乃至請求項９いずれか記載の遊技機。
【請求項１１】
スロット遊技機からなることを特徴とする請求項１乃至請求項８いずれか記載の遊技機。
【発明の詳細な説明】
【技術分野】
【０００１】
本発明は、遊技媒体を用いて遊技者に遊技を提供する遊技機に関する。
【背景技術】
【０００２】
従来より、パチンコ遊技機やスロット遊技機は、一般的に、遊技に連動して大当たりか否かを抽選し、その抽選結果が大当たりである場合には、多くの遊技球（賞球）やメダルを獲得可能な大当たり遊技を遊技者に提供するように設定されている。
【０００３】
尚、このようなパチンコ遊技機やスロット遊技機は、上述のように一般的であり、公知・公用の技術に該当するため、ここでは特に先行技術文献を開示しない。
【発明の開示】
【発明が解決しようとする課題】
【０００４】
ところで、これら従来の遊技機では、遊技者が遊技を開始してから短時間に大当たりが発生することは稀であるため、短時間だけ遊技に臨む遊技者が十分に遊技を楽しむことは困難であった。
【０００５】
又、長時間に亘って遊技に臨んでも、大当たりが高い頻度で発生しないことがあるため、遊技者が長時間に亘って遊技を継続したくても、獲得した遊技球やメダルを長時間に亘って維持できず、遊技の継続を断念しなければならないことがあった。
【０００６】
つまり、従来の遊技機では、遊技者の都合に応じた遊技が提供されていないため、この点を改善すれば、遊技の興趣を向上できることが考えられる。
そこで、本発明は、遊技者の都合に応じた遊技を提供可能な遊技機を提供することを目的とする。
【課題を解決するための手段】
【０００７】
上記目的を達成するためになされた請求項１記載の発明は、遊技媒体を用いて遊技者に遊技を提供する遊技機であって、遊技者に付与すべき特典を抽選する抽選手段と、遊技者が所望する抽選回数を設定する抽選回数設定手段と、該抽選回数設定手段に設定された抽選回数分だけ抽選手段を作動させる作動手段と、抽選手段の抽選結果を格納する格納手段と、予め設定された提示規則に従って、格納手段に格納された各抽選結果を遊技者へ提示する提示順序を決定する提示順序決定手段と、該提示順序決定手段により決定された提示順序に従って、各抽選結果を格納手段から取得し、遊技に連動して遊技者に提示する提示手段とを備えることを特徴とする。
【０００８】
この遊技機では、作動手段が、抽選回数設定手段に設定された抽選回数分だけ抽選手段を作動させ、これに応じて、抽選手段が、遊技者に付与すべき特典を抽選回数分だけ抽選する。ここで、格納手段が、抽選手段の抽選結果を格納し、提示順序決定手段が、予め設定された提示規則に従って、格納手段に格納された各抽選結果を遊技者へ提示する提示順序を決定する。そして、提示手段が、提示順序決定手段により決定された提示順序に従って、各抽選結果を格納手段から取得し、遊技に連動して遊技者に提示する。
【０００９】
つまり、この遊技機では、遊技者に付与すべき特典を遊技者の所望する回数だけ予め抽選しておき、各抽選結果を予め設定された提示規則に従った提示順序で、遊技に連動して遊技者に提示する。
【００１０】
従って、遊技者の都合に応じた提示規則を設定すれば、遊技者の都合に応じた順序で抽選結果が提示されるため、その結果、遊技者の都合に応じた遊技を提供することができる。
【００１１】
又、従来の遊技機では、遊技に連動して逐次、抽選を実行しながらその結果を提示していたため、提示する各抽選結果の間に関連性がなく、これに起因して、抽選結果を提示する演出に連続性や一貫性を持たせることが困難であった。これに対し、本発明は、予め抽選をしておき、各抽選結果を提示規則に従いながら遊技に連動して提示するため、各抽選結果と提示規則とに基づいて、抽選結果を提示する演出に連続性や一貫性を持たせることができる。即ち、抽選結果の演出にストーリーを持たせることができるため、これによって抽選結果を提示する演出の興趣を向上させることもできる。
【００１２】
ところで、提示順序決定手段には、例えば、請求項２記載のように、遊技者にとって有利な特典を示す抽選結果のうちの少なくとも１つを遊技の序盤に提示するように提示規則を設定すると良い。
【００１３】
この場合、遊技者が短時間だけ遊技に臨む場合であっても、遊技者を十分に楽しませることができる。一方、遊技者が長時間に亘って遊技を継続する意向である場合には、幸先の良い遊技を提供できるため、気分良く以後の遊技に臨ませることができる。
【００１４】
又、提示順序決定手段には、例えば、請求項３記載のように、遊技者にとって有利な特典を示す抽選結果を連続して提示するように提示規則を設定すると良い。
この場合、例えば、遊技者に多くの遊技媒体を提供するような特典を連続して提示すれば、遊技者は高い頻度で多くの遊技媒体を獲得できるため、獲得した遊技媒体で長時間に亘って遊技に臨むことができる。即ち、長時間に亘って遊技を継続したい遊技者の意向に沿うことができる。
【００１５】
又、請求項１記載の遊技機において、格納手段は、請求項４記載のように、遊技者にとって有利な特典を示す抽選結果のみを格納するように設定されていても良い。
この場合、抽選結果の中に遊技者にとって有利な特典を示す抽選結果が少なくとも１つあれば、請求項２記載の遊技機と同様の効果を得ることができる。又、遊技者にとって有利な特典を示す抽選結果が複数あれば、請求項３記載の遊技機と同様の効果も得ることができる。更に、全ての抽選結果を格納する必要がないため、格納手段における格納領域をその分小さくできる。
【００１６】
又、上述した遊技機はいずれも、請求項５記載のように、遊技者が当該遊技機に投入した金額の範囲内にて、抽選回数設定手段に設定する抽選回数を遊技者に指定させる抽選回数指定手段を備えると良い。
【００１７】
このように遊技機を構成すれば、遊技者が投入した金額に見合う分だけの抽選を遊技者に提供できる。
又、上述した遊技機にはいずれも、請求項６記載のように、抽選回数設定手段に設定された抽選回数に応じた数の遊技媒体を当該遊技機に用意する遊技媒体用意手段を備えておき、該遊技媒体用意手段により用意された遊技媒体を用いて遊技を行うように設定すると良い。
【００１８】
この場合、遊技者は、遊技媒体用意手段により用意された遊技媒体のみを用いて遊技に臨むことになるため、遊技機がパチンコ遊技機からなれば、遊技球を効率良く入賞させた場合にのみ（つまり、入賞しない遊技球の数を少なくした場合にのみ）、抽選回数設定手段に設定された抽選回数分の抽選結果の提示を全て受けることができる。つまり、遊技球が効率良く入賞するようにパチンコ遊技機を操作する必要が生じるため、その分パチンコ遊技の興趣を向上することができる。
【００１９】
ここで、遊技機が遊技媒体用意手段により用意された遊技媒体のうち、遊技に使用しなかった分の遊技媒体を遊技者に返却する返却手段を備える場合、この返却手段には、請求項７記載のように、遊技媒体を返却する際に予め指定された数の遊技媒体を差し引く差引手段を備えると良い。
【００２０】
即ち、遊技者にとって有利な特典を示す抽選結果を遊技の序盤に提示する場合や連続して提示する場合に、これ以外の抽選結果の提示が残っているにも関わらず、遊技者が遊技をやめてしまっても、遊技場側の採算に見合うように遊技媒体を差し引けば、遊技場側が損を被ることを防止できる。尚、差引手段は、一定数の遊技媒体を差し引くように設定されても良いし、予め設定された割合に基づいて遊技媒体を差し引くように設定されても良い。
【００２１】
又、上述した遊技機はいずれも、請求項８記載のように、提示手段が遊技者にとって有利な特典を示す抽選結果を遊技者に提示すると、遊技者に遊技媒体を払い出す払出手段と、遊技者が遊技に臨む所望時間を設定する第１の時間設定手段と、該第１の時間設定手段に設定された所望時間の長さに応じて払出手段に払い出させる遊技媒体の数を変化させる払出変化手段とを備えると良い。
【００２２】
このように構成された遊技機によれば、遊技者が、遊技者にとって有利な特典を示す抽選結果の提示を受けた際に、更なる遊技の機会を提供できる。しかも、第１の時間設定手段に設定された所望時間が長い程、払い出す遊技媒体の数を多くするように払出変化手段を設定すれば、更なる遊技の機会をその分多く提供できる。そして、その結果、遊技者は、遊技に長時間臨むことができる。
【００２３】
又、上述の遊技機はいずれも、請求項９記載のように、遊技者が遊技に臨む所望時間を設定する第２の時間設定手段と、該第２の時間設定手段に設定された所望時間の長さに応じて、抽選結果の提示時間を変化させる提示時間変化手段とを備えると良い。
【００２４】
つまり、このように構成された遊技機がパチンコ遊技機からなる場合に、第２の時間設定手段に設定された所望時間が長い程、抽選結果の提示時間を長くするように提示時間変化手段を設定すれば、パチンコ遊技の進行をその分遅くできる。そして、遊技者がパチンコ遊技の進行に合わせて遊技球を遊技盤上に投じれば、たとえ抽選結果に「大当たり」がなくても、遊技者は、その分長くパチンコ遊技に臨むことができる。
【００２５】
又、第２の時間設定手段に設定された所望時間が短い程、抽選結果の提示時間を短くするように提示時間変化手段を設定すれば、パチンコ遊技の進行をその分早くできる。そして、遊技者は、所望時間が短くてもその分多くのパチンコ遊技に臨むことができるため、短い時間でも十分にパチンコ遊技を楽しむことができる。
【００２６】
尚、上述の「提示時間」とは、抽選結果を提示している時間（例えば、図柄を停止表示している時間）であっても良いし、抽選結果を提示するまでの時間（例えば、図柄を変動表示している時間）であっても良い。
【００２７】
ところで、請求項１乃至請求項９いずれか記載の遊技機は、請求項１０記載のように、パチンコ遊技機として好適に用いることができる。この場合、遊技者に付与すべき特典としては、通常の「大当たり（通常当たり）」や、「はずれ」の他、次回の大当たりの発生率を通常よりも大きく設定する「確率変動当たり」や、抽選結果の提示時間を通常よりも短く設定する「時間短縮当たり」、これら大当たりよりも遊技者に提供する賞球の数を少なく設定した「中当たり」や「小当たり」などが該当する。
【００２８】
又、請求項１乃至請求項８いずれか記載の遊技機は、請求項１１記載のように、スロット遊技機として好適に用いることができる。この場合、遊技者に付与すべき特典としては、「大当たり」や「はずれ」、大当たりよりも遊技者に提供する賞品メダルの数を少なく設定した「小当たり」などが該当する。
【発明を実施するための最良の形態】
【００２９】
以下に本発明の実施形態を図面と共に説明する。
まず、図５は、本発明に係るパチンコ遊技機（以下、単に「パチンコ機」ともいう。）１の外観を示す正面図である。尚、パチンコ機１は、本発明に係る部分を除いて、周知の第１種パチンコ遊技機（例えば、特開２００１−３０００６５号公報を参照。）と同様に構成されている。従って、ここでは、本発明に係る部分についてのみ詳述し、その他の部分については略述する。
【００３０】
図５に示すように、パチンコ機１は、当該パチンコ機１の筐体である外枠３と、この外枠３に開閉自在に取り付けられた内枠５と、外枠３に併設された遊技球の貸出機６１とを備える。
【００３１】
ここで、内枠５には、遊技者にパチンコ遊技を提供する遊技盤７と、遊技者が遊技盤７上への遊技球の発射操作を行うためのハンドル９と、遊技盤７上へ発射する遊技球を貯留する上受け皿１１と、上受け皿１１が遊技球を貯留しきれなくなるなどして、上受け皿１１から排出される遊技球を受ける下受け皿１３とが設けられている。
【００３２】
尚、遊技盤７上には、ＬＣＤ（Liquid  Crystal  Display）からなり、数字や、文字、図形などを要素とした３つの特別図柄や、パチンコ遊技に関わる各種画像を表示するディスプレイ１５と、ディスプレイ１５に表示される特別図柄の変動表示が保留されていることを遊技者に示す４つの特別図柄保留ランプ１７と、特別図柄の変動表示を開始させるために遊技者が遊技球を投入する始動入賞装置１９と、大当たり遊技の際に、遊技者が遊技球を投入する可動入賞装置２１とが配設されている。但し、始動入賞装置１９は、所謂、チューリップ式からなり、図中左右方向に開閉動作する１対の可動片１９１を備える。又、可動入賞装置２１は、図中手前方向に傾倒動作して当該可動入賞装置２１の入賞口を開放する開閉板２１１を備える。
【００３３】
更に、遊技盤７上には、７セグメントＬＥＤからなり、１桁の数字（本実施形態では０〜９）からなる普通図柄を変動表示する普通図柄表示装置２３と、普通図柄の変動表示が保留されていることを遊技者に示す４つの普通図柄保留ランプ２５と、遊技球の通過を検出する１対の始動ゲート２７とが配設されている。
【００３４】
又、貸出機６１には、遊技者が紙幣を投入するための紙幣投入口６３と、パチンコ機１でのパチンコ遊技の態様を設定する操作部６５と、残り金額に相当するコインを遊技者に返却する返却口６７とが設けられている。
【００３５】
ここで、図４は、貸出機６１における操作部６５の拡大図である。
図４に示すように、操作部６５には、複数の照光スイッチを備えたスイッチ部６９と、７セグメントＬＥＤからなり、後述のセット遊技の総数と残りのセット遊技の回数とを表示する回数表示カウンタ７１と、７セグメントＬＥＤからなり、セット遊技に用いる残りの遊技球の数を表示する球数表示カウンタ７３とが設けられている。
【００３６】
尚、スイッチ部６９には、通常のパチンコ遊技（以下、「通常遊技」という。）、もしくはセット遊技のいずれかを設定するための照光スイッチを備えた遊技設定部７５と、遊技者が遊技時間を「通常」、「短時間」、「長時間」のいずれかに設定するための照光スイッチを備えた時間設定部７７と、残りの遊技球の返却や残り金額の返却をパチンコ機１や貸出機６１に指令するための照光スイッチを備えた返却指令部７９とが設けられている。但し、遊技設定部７５には、セット遊技を設定するための照光スイッチが、各種金額とセット遊技の回数とに対応づけられて複数配設されている。
【００３７】
続いて、図３は、パチンコ機１における制御系統の構成ブロック図である。
図３に示すように、パチンコ機１には、ＣＰＵやＲＯＭ、ＲＡＭなどを搭載してなり、当該パチンコ機１におけるパチンコ遊技を統括する主制御基板３１が具備され、この主制御基板３１に、ＣＰＵやＲＯＭ、ＲＡＭなどを搭載してなる各種制御基板や、各種装置を接続して当該パチンコ機１の制御系統が構築されている。
【００３８】
即ち、主制御基板３１には、まず、遊技球が始動ゲート２７を通過したことを検出するゲートセンサ２７１と、始動入賞装置１９の始動口に遊技球が投入されたことを検出する始動口センサ１９３と、始動入賞装置１９の可動片１９１を駆動するソレノイド１９５とが接続されている。
【００３９】
又、主制御基板３１には、可動入賞装置２１の入賞口における特定領域に遊技球が投入されたことを検出する特定領域センサ２１３と、可動入賞装置２１の入賞口における特定領域とは別の一般領域に遊技球が投入されたことを検出するカウントセンサ２１５と、可動入賞装置２１の開閉板２１１を駆動するソレノイド２１７とが接続されている。
【００４０】
又、主制御基板３１には、上受け皿１１への賞球の払出を行う払出装置３５を制御する賞球制御基板３３と、パチンコ機１に設置されたスピーカ４１を介して声や効果音、音楽などを出力する音声制御基板３９と、普通図柄保留ランプ２５及び特別図柄保留ランプ１７を点灯させるランプ制御基板４３とが接続されている。
【００４１】
更に、主制御基板３１には、ディスプレイ１５に特別図柄やパチンコ遊技に関わる各種画像を表示したり、普通図柄表示装置２３に普通図柄を表示する図柄制御基板３７と、上述の貸出機６１と、遊技球が遊技盤７上に投入されたことを検出する投入検出センサ８１とが接続されている。
【００４２】
ここで、図１は、主制御基板３１が実行する遊技設定処理の流れを示すフローチャートである。尚、本処理は、貸出機６１の紙幣投入口６３に紙幣が投入され、主制御基板３１が、貸出機６１に投入された金額を示す金額データを貸出機６１から受信した際に起動される。
【００４３】
図１に示すように、本処理が起動されると、主制御基板３１は、まず、貸出機６１の遊技設定部７５に配設された通常遊技を設定する照光スイッチや、貸出機６１に投入された金額の範囲内にて設定可能なセット遊技に対応する照光スイッチを点灯するように貸出機６１に指令する（Ｓ１０）。そして、これら照光スイッチのいずれかが押下されるまで待機したのち（Ｓ２０）、いずれかの照光スイッチが押下されると、押下された照光スイッチのみを点灯するように貸出機６１に指令すると共に（Ｓ３０）、押下された照光スイッチが通常遊技を設定する照光スイッチであるか否かを確認する（Ｓ４０）。ここで、押下された照光スイッチが通常遊技を設定する照光スイッチであれば、予め設定された通常遊技処理を起動し（Ｓ５０）、本処理を終了する。
【００４４】
尚、通常遊技処理では、主制御基板３１は、まず、遊技球を上受け皿１１に供給するように貸出機６１に指令し、遊技者に遊技球を提供する。そして、遊技者がハンドル９を操作してパチンコ遊技を開始すると、周知のように、ゲートセンサ２７１や始動口センサ１９３が遊技球を検出した検出タイミングに基づいて普通図柄に関する抽選や特別図柄に関する抽選（以下、「特別図柄抽選」という。）を実行する。又、これらの抽選結果に応じて、上述の各種制御基板に各種コマンドを送信したり、ソレノイド１９５，２１７を作動させて、これらの抽選結果に応じたパチンコ遊技を遊技者に提供する。
【００４５】
一方、Ｓ４０にて、セット遊技を設定する照光スイッチのいずれかが押下されたのであれば、これに対応するセット遊技の回数分だけ、予め設定された乱数発生関数に基づいて特別図柄抽選に関する乱数を発生し、各乱数を一連の抽選結果として、その発生順にＲＡＭに格納する（Ｓ６０）。
【００４６】
そして、主制御基板３１は、ＲＡＭに格納された一連の抽選結果の遊技者への提示順序を決定する（Ｓ７０）。尚、Ｓ７０では、ＲＡＭに格納された各乱数に対応する抽選結果を確認し、これらの中に１乃至複数の大当たり（「確率変動当たり」や「時間短縮当たり」、「通常当たり」）があれば、その大当たりをパチンコ遊技の序盤に遊技者に提示するように提示順序を決定する。より具体的には、一連の抽選結果の序盤にある「はずれ」の乱数と、それ以降にある大当たりの乱数とを入れ替えるなどして遊技の序盤に大当たりを提示できるように提示順序を決定する。
【００４７】
提示順序を決定すると、主制御基板３１は、貸出機６１に時間設定部７７の照光スイッチを全て点灯させ（Ｓ８０）、これら照光スイッチのいずれかが押下されるまで待機する（Ｓ９０）。ここで、照光スイッチが押下されると、それに対応する遊技時間に伴った特別図柄の変動時間やリーチの出現頻度を図柄制御基板３７に設定すると共に（Ｓ１００）、それに対応する遊技時間に伴った賞球の払出量を賞球制御基板３３に設定する（Ｓ１１０）。尚、Ｓ１００では、遊技時間が「長時間」に設定された場合には、遊技時間が「通常」に設定された場合よりも、特別図柄の変動時間を長く設定すると共に、リーチの出現頻度を高く設定する。一方、遊技時間が「短時間」に設定された場合には、遊技時間が「通常」に設定された場合よりも、特別図柄の変動時間を短く設定すると共に、リーチの出現頻度を低く設定する。
【００４８】
又、Ｓ１１０では、遊技時間が「長時間」に設定された場合には、遊技時間が「通常」に設定された場合よりも、賞球の払出量を多く設定する。一方、遊技時間が「短時間」に設定された場合には、遊技時間が「通常」に設定された場合と同程度に賞球の払出量を設定する。
【００４９】
そして、賞球の払出量の設定を終了すると、主制御基板３１は、予め設定されたセット遊技処理を起動し（Ｓ１２０）、本処理を終了する。
尚、このセット遊技処理では、主制御基板３１は、まず、設定されたセット遊技の回数とそれに対応する遊技球の数を回数表示カウンタ７１と球数表示カウンタ７３とにそれぞれ表示するように貸出機６１に指令する。尚、この際、貸出機６１は、上受け皿１１を介さずに遊技球をパチンコ機１における遊技球の射出機構に直接供給する。
【００５０】
そして、主制御基板３１は、投入検出センサ８１が遊技球を検出する毎に球数表示カウンタ７３のカウント値を１つずつダウンカウントするように貸出機６１に指令する。又、ゲートセンサ２７１が遊技球を検出する毎に、Ｓ７０にて決定した提示順序に従って抽選結果を図柄制御基板３７に供給する。尚、この際、主制御基板３１は、抽選結果を図柄制御基板３７に供給する毎に、回数表示カウンタ７１に表示されたカウント値を１つずつダウンカウントするように貸出機６１に指令する。
【００５１】
又、図柄制御基板３７や賞球制御基板３３は、Ｓ１００及びＳ１１０にて設定された変動時間やリーチの出現頻度、賞球の払出量に基づいて特別図柄の変動表示や、賞球の払出を行う。
【００５２】
そして、セット遊技の残り回数もしくは残りの遊技球の数がゼロになると、本処理を終了する。
次に、図２は、主制御基板３１が実行する遊技球返却処理の流れを示すフローチャートである。尚、本処理は、セット遊技処理の最中に、主制御基板３１が、返却指令部７９における残りの遊技球の返却を指令する照光スイッチが押下された旨の通知を貸出機６１から受信した際に起動される。
【００５３】
図２に示すように、本処理が起動されると、主制御基板３１は、まず、予め当該主制御基板３１に設定されていた遊技球の返却率（遊技場の採算に合うような大きさに設定）を確認する（Ｓ２１０）。そして、セット遊技における残りの遊技球の数を貸出機６１に確認し（Ｓ２２０）、残りの遊技球の数に返却率を乗算した分を、遊技場側が徴収する遊技球として算出する（Ｓ２３０）。徴収分を算出すると、貸出機６１に、この徴収分を差し引いた残りの遊技球を上受け皿１１に払い出すように指令し（Ｓ２４０）、本処理を終了する。
【００５４】
以上のように構成されたパチンコ機１では、セット遊技が設定されると、主制御基板３１が、セット遊技の回数分だけ予め特別図柄抽選を実行し、その一連の抽選結果の中に１乃至複数の大当たりがあれば、大当たりをパチンコ遊技の序盤に提示するように、抽選結果の提示順序を決定する。
【００５５】
そして、貸出機６１の時間設定部７７に設定された遊技時間に伴った特別図柄の変動時間やリーチの出現頻度、賞球の払出量を設定したのち、一連の抽選結果を、提示順序や時間設定部７７に設定された遊技時間に従いながら、パチンコ遊技に連動して遊技者に提示する。
【００５６】
尚、セット遊技の最中に、遊技球の返却を要求されると、残りの遊技球から遊技場の徴収分を差し引いて遊技者に返却する。
以上から、本実施形態のパチンコ機１によれば、セット遊技における特別図柄抽選の抽選結果に１乃至複数の大当たりがあれば、その大当たりがパチンコ遊技の序盤に提示されるため、遊技者が短時間だけパチンコ遊技に臨む場合であっても、遊技者を十分に楽しませることができる。一方、遊技者が長時間に亘ってパチンコ遊技を継続する意向である場合には、幸先の良いパチンコ遊技を提供できるため、気分良く以後のパチンコ遊技に臨ませることができる。
【００５７】
ここで、従来のパチンコ機では、パチンコ遊技に連動して逐次、特別図柄抽選を実行しながらその結果を提示していたため、提示する各抽選結果の間に関連性がなく、これに起因して、抽選結果を提示する演出に連続性や一貫性を持たせることが困難であった。これに対し、パチンコ機１は、予め一連の特別図柄抽選を実行しておき、一連の抽選結果を提示順序に従いながらパチンコ遊技に連動して提示するため、一連の抽選結果と提示順序とに基づいて、抽選結果を提示する演出に連続性や一貫性を持たせることができる。即ち、一連の抽選結果と提示順序とに基づいて、ディスプレイ１５に表示する特別図柄の組み合わせや、リーチなどの演出の画像を決定するように図柄制御基板３７を設定すれば、抽選結果の演出にストーリーを持たせることができるため、これによって抽選結果を提示する演出の興趣を向上させることもできる。
【００５８】
又、本実施形態のパチンコ機１では、セット遊技の際に、貸出機６１の時間設定部７７に設定された遊技時間の長さに伴って特別図柄の変動時間やリーチの出現頻度、賞球の払出量が設定されるため、遊技者の所望する遊技時間に応じたパチンコ遊技（セット遊技）を提供できる。
【００５９】
つまり、パチンコ遊技に長時間臨む意向の遊技者に対しては、賞球が多く払い出されるため、遊技者は、その分更なるパチンコ遊技に臨むことができる。又、特別図柄の変動時間が長く、リーチも頻繁に出現することにより、その分だけパチンコ遊技の進行が遅くなるため、遊技者が特別図柄の変動表示時やリーチの出現時に遊技球の投入を中断すれば、たとえ、大当たりが発生しなくても、パチンコ遊技に長時間臨むことができる。
【００６０】
一方、パチンコ遊技に短時間だけ臨む意向の遊技者に対しては、特別図柄の変動時間が短く、リーチも稀にしか出現しないことにより、その分だけパチンコ遊技の進行が早くなるため、遊技者は、その分多くのパチンコ遊技に臨むことができる。即ち、短い時間でも十分にパチンコ遊技を楽しむことができる。
【００６１】
又、本実施形態のパチンコ機１では、セット遊技の際に貸出機６１が遊技球を上受け皿１１を介さずに直接遊技球の射出機構に供給するため、遊技者は、貸出機６１がセット遊技のために用意した遊技球のみを用いてセット遊技に臨むことになる。このため、遊技者は、遊技球を効率良く入賞させた場合にのみ（つまり、入賞しない遊技球の数を少なくした場合にのみ）、セット遊技の回数分の抽選結果の提示を全て受けることができる。つまり、遊技球が効率良く入賞するようにパチンコ機１を操作する必要が生じるため、その分パチンコ遊技の興趣を向上することができる。
【００６２】
又、本実施形態のパチンコ機１は、遊技者が投入した金額に応じてセット遊技の回数が予め決められているため、遊技者が投入した金額に見合う分だけのセット遊技を提供できる。
【００６３】
又、本実施形態のパチンコ機１は、パチンコ遊技の序盤に大当たりが発生し、遊技者が大当たり遊技を終えた直後にセット遊技を中止しても、残りの遊技球から遊技場の採算に見合うように遊技球を差し引くので、遊技場側が損を被ることがない。
【００６４】
尚、本実施形態では、主制御基板３１が実行する遊技設定処理のＳ６０が本発明の抽選手段及び作動手段、格納手段に相当し、Ｓ１０が本発明の抽選回数指定手段に相当する。又、遊技設定処理のＳ７０が本発明の提示順序決定手段に相当し、Ｓ１２０が本発明の提示手段に相当する。
【００６５】
又、本実施形態では、貸出機６１が、本発明の遊技媒体用意手段に相当し、貸出機６１の遊技設定部７５が本発明の抽選回数設定手段に相当する。又、時間設定部７７が本発明の第１，２の時間設定手段に相当する。
【００６６】
又、本実施形態では、賞球制御基板３３が本発明の払出手段に相当し、主制御基板３１が実行する遊技設定処理のＳ１１０が本発明の払出変化手段に相当し、Ｓ１００が本発明の提示時間変化手段に相当する。
【００６７】
又、上記実施形態では、主制御基板３１が実行する遊技球返却処理が本発明の返却手段に相当し、このうちＳ２３０及びＳ２４０が本発明の差引手段に相当する。
以上、本発明の実施の形態について説明したが、本発明は、上記実施形態に何ら限定されることはなく、本発明の技術的範囲に属する限り種々の形態をとり得ることはいうまでもない。
【００６８】
例えば、上記実施形態では、遊技設定処理のＳ６０にて、主制御基板３１に、一連の抽選結果を格納させていたが、遊技者にとって有利な特典を示す抽選結果（例えば、小当たりや中当たり、大当たり）のみを格納させても良い。この場合、遊技者にとって有利な特典を示す抽選結果が１つでもあれば、遊技者にとって有利な特典を示す抽選結果を遊技の序盤にて提示することができる。又、遊技者にとって有利な特典を示す抽選結果が複数あれば、遊技者にとって有利な特典を示す抽選結果を連続して遊技者に提示できる。
【００６９】
又、遊技者にとって有利な特典を示す抽選結果が一切なければ、セット遊技を直ちに終了させて、遊技者に再度セット遊技に臨ませたり、通常遊技に臨ませたりできる。即ち、遊技機の稼働率を向上させることができる。
【００７０】
又、遊技者にとって有利な特典を示す抽選結果として、リーチを設定すれば、リーチも連続させて提示することができ、遊技者の期待感を煽ることができ、遊技の興趣を向上させることができる。
【００７１】
又、主制御基板３１のＲＡＭに全ての抽選結果を格納する必要がないため、その分だけ、ＲＡＭにおける格納領域を小さくできる。
又、上記実施形態では、遊技設定処理のＳ９０にて、時間設定部７７の照光スイッチのいずれかが押下されるまで主制御基板３１の処理を待機させていたが、これら照光スイッチがいずれも一定時間押下されなかった場合に、主制御基板３１に「通常」の遊技時間を設定させても良い。
【００７２】
又、上記実施形態では、一連の抽選結果に１乃至複数の大当たりが含まれている場合に、大当たりをパチンコ遊技の序盤に提示したが、連続して提示しても良いし、パチンコ遊技の終盤に提示しても良い。終盤に大当たりを提示した場合には、大当たりが提示されることを諦めかけていた遊技者を驚かせることができるため、セット遊技の興趣を向上できる。又、これにより、遊技者にセット遊技が終了するまで期待感を抱かせ続けることができるため、遊技者がセット遊技の序盤にてセット遊技を中止してしまうことを防止できる。即ち、セット遊技の序盤にて大当たりが提示されないことに起因して、パチンコ機１の稼働率が低下することを防止できる。
【００７３】
又、上記実施形態では、遊技設定処理にて、特別図柄の変動時間やリーチの出現頻度、賞球の払出量を設定していたが（Ｓ１００及びＳ１１０）、これらを全て設定する必要はなく、いずれか１つだけ設定させても良い。又、遊技時間が「長時間」に設定された場合にのみ、小当たりや中当たりを発生させても良い。
【００７４】
又、上記実施形態では、本発明をパチンコ遊技機に適用したが、スロット遊技機に適用しても勿論良い。
又、上記実施形態では、特別図柄は数字からなっていたが、その他の文字（例えば、アルファベットなど）や図形からなっていても良い。
【００７５】
又、上記実施形態では、ディスプレイ１５は、ＬＣＤからなっていたが、ＣＲＴ（Cathode-Ray  Tube）やＬＥＤ表示器、外周壁に図柄を形成された１乃至複数のリールからなっていても良い。
【図面の簡単な説明】
【００７６】
【図１】主制御基板３１が実行する遊技設定処理の流れを示すフローチャートである。
【図２】主制御基板３１が実行する遊技球返却処理の流れを示すフローチャートである。
【図３】パチンコ機１における制御系統の構成ブロック図である。
【図４】貸出機６１における操作部６５の拡大図である。
【図５】パチンコ機１の外観を示す正面図である。
【符号の説明】
【００７７】
１…パチンコ機、３…外枠、５…内枠、７…遊技盤、９…ハンドル、１１…上受け皿、１３…下受け皿、１５…ディスプレイ、１７…特別図柄保留ランプ、１９…始動入賞装置、２１…可動入賞装置、２３…普通図柄表示装置、２５…普通図柄保留ランプ、２７…始動ゲート、３１…主制御基板、３３…賞球制御基板、３５…払出装置、３９…音声制御基板、４１…スピーカ、４３…ランプ制御基板、６１…貸出機、６３…紙幣投入口、６５…操作部、６７…返却口、６９…スイッチ部、７１…回数表示カウンタ、７３…球数表示カウンタ、７５…遊技設定部、７７…時間設定部、７９…返却指令部、８１…投入検出センサ、１９１…可動片、１９３…始動口センサ、１９５，２１７…ソレノイド、２１１…開閉板、２１３…特定領域センサ、２１５…カウントセンサ、２７１…ゲートセンサ。
【図１】
2005052357.tif 000003
【図２】
2005052357.tif 000004
【図３】
2005052357.tif 000005
【図４】
2005052357.tif 000006
【図５】
2005052357.tif 000007